(57)【特許請求の範囲】
【請求項１】
基地局から送信された複数のパイロットシンボルを用いて下りリンクにおける無線品質を算出するように構成されている受信装置であって、
第１パイロットシンボルと第２パイロットシンボルとの間の時間軸上の相関値は［数１］によって算出され、前記第１パイロットシンボルと前記第２パイロットシンボルとの間の周波数軸上の相関値は［数２］によって算出されるように構成されている相関算出部と、
前記相関算出部によって算出された前記相関値が所定閾値を上回る場合のみ、前記第１パイロットシンボルの受信品質及び前記第２パイロットシンボルの受信品質を用いて、前記下りリンクにおける無線品質を算出するように構成されている無線品質算出部とを具備し、
［数１］において、ＪＯは第１種ベッセル関数であり、ｆＤは前記第１パイロットシンボルと前記第２パイロットシンボルとの間の最大ドップラー周波数であり、τは前記第１パイロットシンボルが送信されたタイミングと前記第２パイロットシンボルが送信されたタイミングとの差であり、
［数２］において、Ωは前記第１パイロットシンボルが送信された周波数と前記第２パイロットシンボルが送信された周波数との差であり、△ｌ／ｃは前記第１パイロットシンボルが送信された周波数と前記第２パイロットシンボルが送信された周波数との間の伝搬遅延速度の広がりであり、ｌＯは前記基地局と前記受信装置との間の最短の伝搬路長であり、
前記相関値は、前記周波数軸上の相関値と、前記時間軸上の相関値との乗算結果であることを特徴とする受信装置。
【数１】
0005432896.tif 000007
【数２】
0005432896.tif 000008
【請求項２】
前記相関算出部は、車速パルスを用いて前記時間軸上の相関値を算出するように構成されていることを特徴とする請求項１に記載の受信装置。
【請求項３】
前記相関算出部は、移動端末の推定移動速度を用いて前記時間軸上の相関値を算出するように構成されていることを特徴とする請求項１に記載の受信装置。
【請求項４】
前記相関算出部は、同期チャネル信号の遅延プロファイルを用いて前記周波数軸上の相関値を算出するように構成されていることを特徴とする請求項１に記載の受信装置。
【請求項５】
所定エリアにおける時間軸上の相関値及び周波数軸上の相関値の少なくとも１つを管理するように構成されている管理部を具備し、
前記無線品質算出部は、前記管理部によって管理されている前記相関値を参照して、前記相関値が所定閾値を上回るか否かについて検証するように構成されていることを特徴とする請求項１に記載の受信装置。
【請求項６】
前記相関算出部は、同期チャネル信号に基づいて前記基地局との間の同期が確立された後に、前記相関値を算出するように構成されていることを特徴とする請求項１乃至５のいずれか一項に記載の受信装置。
【請求項７】
受信装置において、基地局から送信された複数のパイロットシンボルを用いて、下りリンクにおける無線品質を算出する無線品質算出方法であって、
前記受信装置において、第１パイロットシンボルと第２パイロットシンボルとの間の時間軸上の相関値は［数１］によって算出され、前記第１パイロットシンボルと前記第２パイロットシンボルとの間の周波数軸上の相関値は［数２］によって算出される工程と、
前記受信装置において、算出された前記相関値が所定閾値を上回る場合、前記第１パイロットシンボルの受信品質及び前記第２パイロットシンボルの受信品質を用いて、前記下りリンクにおける無線品質を算出する工程とを有し、
［数１］において、ＪＯは第１種ベッセル関数であり、ｆＤは前記第１パイロットシンボルと前記第２パイロットシンボルとの間の最大ドップラー周波数であり、τは前記第１パイロットシンボルが送信されたタイミングと前記第２パイロットシンボルが送信されたタイミングとの差であり、
［数２］において、Ωは前記第１パイロットシンボルが送信された周波数と前記第２パイロットシンボルが送信された周波数との差であり、△ｌ／ｃは前記第１パイロットシンボルが送信された周波数と前記第２パイロットシンボルが送信された周波数との間の伝搬遅延速度の広がりであり、ｌＯは前記基地局と前記受信装置との間の最短の伝搬路長であり、
前記相関値は、前記周波数軸上の相関値と、前記時間軸上の相関値との乗算結果であることを特徴とする無線品質算出方法。
【数１】
0005432896.tif 000009
【数２】
0005432896.tif 000010
【発明の詳細な説明】
【技術分野】
【０００１】
本発明は、基地局から送信された複数のパイロットシンボルを用いて、下りリンクにおける無線品質を算出するように構成されている受信装置及び無線品質算出方法に関する。
【背景技術】
【０００２】
Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式の移動通信システムでは、図１０に示すように、受信装置（例えば、移動局）は、基地局によって送信されたＷ-ＣＤＭＡ信号に対して逆拡散処理を行い、得られたＣＰＩＣＨ（Ｃｏｍｍｏｎ  Ｐｉｌｏｔ  Ｃｈａｎｎｅｌ）信号を用いて、下りリンクの無線品質を算出するように構成されている。
【０００３】
例えば、かかるＷ-ＣＤＭＡ方式の移動通信システムでは、受信装置は、以下の（式１）を用いて、時間軸方向に連続して送信された２つのパイロットシンボルＳｎ及びＳｎ＋１の受信品質ｒｎ及びｒｎ＋１に対して平均化処理を行うことによって、下りリンクにおける無線品質を算出するように構成されている。
【数１】
0005432896.tif 000002
【０００４】
ここで、「ＲＳＲＰ」は、希望波信号の受信電力であり、「ＩＳＳＩ」は、干渉信号の受信電力である。また、「ｒｎ＝αＳｎ+ｌｎ」であり、「ｒｎ＋１＝βＳｎ＋１＋ｌｎ＋１」であり、「α」及び「β」は、それぞれの送信シンボルに対するフェージングの影響である振幅変動及び位相変動を表しており、「ｌｎ」及び「ｌｎ＋１」は、それぞれのシンボルの熱雑音を含めた干渉波成分を示している。
【０００５】
ここで、Ｗ-ＣＤＭＡ方式の移動通信システムでは、下りリンクにおける無線品質の算出に、単一の周波数によって時間軸上で連続して送信された２つのパイロットシンボルが用いられ、かかる２つのパイロットシンボルの伝搬路をほぼ同一の伝搬路と考えられる場合において、「Ｓｎ」及び「Ｓｎ＋１」に対して乗算される係数「α」及び「β」が同一として考えられ、精度の良い電力の推定が可能である。
【発明の概要】
【発明が解決しようとする課題】
【０００６】
これに対して、ＬＴＥ（Ｌｏｎｇ  Ｔｅｒｍ  Ｅｖｏｌｕｔｉｏｎ）方式の移動通信システムでは、図１１に示すように、複数のパイロットシンボルが、周波数軸上及び時間軸上で不連続に送信されるように構成されている。【０００７】
したがって、ＬＴＥ方式の移動通信システムでは、各パイロットシンボルに対するフェージングの影響が異なる可能性が高く、Ｗ-ＣＤＭＡ方式の移動通信システムの場合と同一の算出方法では、複数のパイロットシンボルを用いて、下りリンクの無線品質を精度良く算出することができないという問題点があった。【０００８】
そこで、本発明は、上述の課題に鑑みてなされたものであり、周波数軸上及び時間軸上で不連続に送信された複数のパイロットシンボルを用いて、下りリンクにおける無線品質を精度良く算出することができる受信装置及び無線品質算出方法を提供することを目的とする。
【課題を解決するための手段】
【０００９】
本発明の第１の特徴は、受信装置であって、基地局から送信された複数のパイロットシンボルを用いて、下りリンクにおける無線品質を算出するように構成されている受信装置であって、第１パイロットシンボルと第２パイロットシンボルとの間の時間軸上の相関値及び周波数軸上の相関値の少なくとも１つを算出するように構成されている相関算出部と、前記相関算出部によって算出された前記相関値が所定閾値を上回る場合、前記第１パイロットシンボルの受信品質及び前記第２パイロットシンボルの受信品質を用いて、前記下りリンクにおける無線品質を算出するように構成されている無線品質算出部とを具備することを要旨とする。【００１０】
本発明の第１の特徴において、受信装置は、無線品質を測定する測定車に配備されてもよく、前記相関算出部は、車速パルスを用いて前記時間軸上の相関値を算出するように構成されていてもよい。なお、車速とは、かかる測定車の速度のことである。【００１１】
本発明の第１の特徴において、前記相関算出部は、移動端末の推定移動速度を用いて前記時間軸上の相関値を算出するように構成されていてもよい。【００１２】
本発明の第１の特徴において、前記相関算出部は、同期チャネル信号の遅延プロファイルを用いて前記周波数軸上の相関値を算出するように構成されていてもよい。【００１３】
本発明の第１の特徴において、所定エリアにおける時間軸上の相関値及び周波数軸上の相関値の少なくとも１つを管理するように構成されている管理部を具備し、前記無線品質算出部は、前記管理部によって管理されている前記相関値を参照して、前記相関値が所定閾値を上回るか否かについて検証するように構成されていてもよい。【００１４】
本発明の第１の特徴において、前記相関算出部は、同期チャネル信号に基づいて前記基地局との間の同期が確立された後に、前記相関値を算出するように構成されていてもよい。【００１５】
本発明の第２の特徴は、受信装置において、基地局から送信された複数のパイロットシンボルを用いて、下りリンクにおける無線品質を算出する無線品質算出方法であって、前記受信装置において、第１パイロットシンボルと第２パイロットシンボルとの間の時間軸上の相関値及び周波数軸上の相関値の少なくとも１つを算出する工程と、前記受信装置において、算出された前記相関値が所定閾値を上回る場合、前記第１パイロットシンボルの受信品質及び前記第２パイロットシンボルの受信品質を用いて、前記下りリンクにおける無線品質を算出する工程とを有することを要旨とする。
【発明の効果】
【００１６】
以上説明したように、本発明によれば、周波数軸上及び時間軸上で不連続に送信された複数のパイロットシンボルを用いて、下りリンクにおける無線品質を精度良く算出することができる受信装置及び無線品質算出方法を提供することができる。
【図面の簡単な説明】
【００１７】
【図１】図１は、本発明の第１の実施形態に係る移動通信システムの全体構成図である。
【図２】図２は、本発明の第１の実施形態に係る受信装置の機能ブロック図である。
【図３】図３は、本発明の第１の実施形態に係る移動通信システムの動作について説明するためのフローチャートである。
【図４】図４は、本発明の第１の実施形態に係る受信装置によって行われる相関の検証方法について説明するための図である。
【図５】図５は、本発明の第１の実施形態に係る受信装置によって行われる相関の算出方法について説明するための図である。
【図６】図６は、本発明の第１の実施形態に係る受信装置によって行われる相関の検証方法について説明するための図である。
【図７】図７は、本発明の第１の実施形態に係る受信装置によって行われる相関の算出方法について説明するための図である。
【図８】図８は、本発明の第１の実施形態に係る受信装置によって行われる相関の検証方法について説明するための図である。
【図９】図９は、本発明の第１の実施形態の変形例に係る移動通信システムの動作について説明するためのフローチャートである。
【図１０】図１０は、従来のＷ-ＣＤＭＡ方式の移動通信システムにおいてパイロット信号の測定値の平均値を算出する方法について説明するための図である。
【図１１】図１１は、ＬＴＥ方式の移動通信システムにおけるパイロット信号の送信方法について説明するための図である。
【発明を実施するための形態】
【００１８】
（本発明の第１の実施形態に係る移動通信システムの構成）
図１及び図２を参照して、本発明の第１の実施形態に係る移動通信システムの構成について説明する。
【００１９】
図１に示すように、本実施形態に係る移動通信システムでは、受信装置１０（例えば、移動局）は、基地局２０から送信された複数のパイロットシンボルを用いて、下りリンクにおける無線品質を算出するように構成されている。
【００２０】
図２に示すように、受信装置１０は、サーチ部１１と、相関検証部１２と、測定部１３と、平均化処理部１４と、結果送出部１５とを具備している。
【００２１】
サーチ部１１は、各基地局から送信されているＳＣＨ信号を使ってサーチし、かかるＳＣＨ信号に基づいて各基地局との間で同期を取るように構成されている。
【００２２】
相関検証部１２は、ＳＣＨ（同期チャネル）信号に基づいて基地局２０との間の同期が確立された後に、基地局２０から送信された２つの「ＲＳ：Ｒｅｆｅｒｅｎｃｅ  Ｓｉｇｎａｌ（参照信号、パイロットシンボル）」の間の時間軸上の相関値及び周波数軸上の相関値の少なくとも１つを算出するように構成されている。
【００２３】
具体的には、相関検証部１２は、ＳＣＨ（同期チャネル）信号の遅延プロファイルを用いて、２つのＲＳ（パイロットシンボル）の間の周波数軸上の相関値を算出するように構成されていてもよい。
【００２４】
また、相関検証部１２は、車速パルスを用いて、２つのＲＳ（パイロットシンボル）の間の時間数軸上の相関値を算出するように構成されていてもよい。
【００２５】
なお、相関検証部１２は、所定エリアにおける時間軸上の相関値及び周波数軸上の相関値の少なくとも１つを、予めテーブルとして管理するように構成されてもよい。
【００２６】
測定部１３は、相関検証部１２によって算出された相関値が所定閾値を上回る場合、かかる２つのパイロットシンボルの受信品質（例えば、受信電力等）を測定するように構成されている。
【００２７】
また、測定部１３は、相関検証部１２によって管理されている相関値を参照して、上述の相関値が所定閾値を上回るか否かについて検証するように構成されていてもよい。
【００２８】
平均化処理部１４は、測定部１３によって測定された２つのパイロットシンボルの受信品質を用いて、下りリンクにおける無線品質を算出するように構成されている。
【００２９】
結果送出部１５は、ユーザに対して、平均化処理部１４による算出結果を通知するように構成されている。
【００３０】
（本発明の第１の実施形態に係る移動通信システムの動作）
図３乃至図８を参照して、本発明の第１の実施形態に係る移動通信システムにおける受信装置１０の動作について説明する。
【００３１】
第１に、図３乃至図５を参照して、本発明の第１の実施形態に係る移動通信システムにおいて、第１ＲＳ「Ｓ１」と第２ＲＳ「Ｓ２」との間の周波数軸上の相関値を用いて、下りリンクにおける無線品質を算出する方法について説明する。
【００３２】
図３に示すように、ステップＳ１０１において、受信装置１０のサーチ部１１は、基地局２０から送信された搬送周波数の中心周波数付近のＳＣＨ信号に基づいて、基地局２０との間で同期を取る。
【００３３】
ステップＳ１０２において、受信装置１０の相関検証部１２は、図４に示すように、同一のタイミングで送信された第１ＲＳ（第１パイロットシンボル）「Ｓ１」と第２ＲＳ（第２パイロットシンボル）「Ｓ２」との間の相関値（周波数軸上の相関値）を算出する。
【００３４】
例えば、相関検証部１２は、以下の（式２）を用いて、「Ｓ１」と「Ｓ２」との間の相関値を検出する。
【数２】
0005432896.tif 000003
【００３５】
なお、「Ω」は、第１ＲＳ「Ｓ１」が送信された周波数ｆ（Ｓ１）と第２ＲＳ「Ｓ２」が送信されたＲＳの周波数ｆ（Ｓ２）との差であり、「Δｌ/ｃ」は、上述の遅延プロファイルから求められるｆ（Ｓ１）とｆ（Ｓ２）との間の伝播遅延時間の広がりであり、「ｌｏ」は、基地局２０と受信装置１０との間の最短の伝播路長である。
【００３６】
ステップＳ１０３において、受信装置１０の相関検証部１２は、図５に示すように、「Ｓ１」と「Ｓ２」との間の周波数軸上の相関値が、所定閾値を上回っているか否かについて検証するように構成されている。
【００３７】
ここで、相関検証部１２は、所定エリア（例えば、市街地や郊外地等）における周波数軸上の相関値を管理しており、かかる周波数軸上の相関値を参照して、「Ｓ１」と「Ｓ２」との間の周波数軸上の相関値が所定閾値を上回っているか否かについて検証してもよい。
【００３８】
かかる周波数軸上の相関値が所定閾値を上回っていると検証された場合、ステップＳ１０４において、受信装置１０の測定部１３が、第１ＲＳ「Ｓ１」の受信品質ｒｎ及び第２ＲＳ「Ｓ２」の受信品質ｒｎ＋１を測定し、受信装置１０の平均化処理部１４が、以下の（式１）を用いて、第１ＲＳ「Ｓ１」の受信品質ｒｎ及び第２ＲＳ「Ｓ２」の受信品質ｒｎ＋１に対して平均化処理を行うことによって、下りリンクの無線品質を算出する。
【数３】
0005432896.tif 000004
【００３９】
なお、同様に、第１ＲＳ「Ｓ２」と第２ＲＳ「Ｓ３」との間の周波数軸上の相関値や、第１ＲＳ「Ｓ３」と第２ＲＳ「Ｓ４」との間の周波数軸上の相関値を用いて、下りリンクにおける無線品質を算出することができる。
【００４０】
第２に、図３、図６及び図７を参照して、本発明の第１の実施形態に係る移動通信システムにおいて、第１ＲＳ「Ｓ１」と第２ＲＳ「Ｓ５」との間の時間軸上の相関値を用いて、下りリンクにおける無線品質を算出する方法について説明する。
【００４１】
図３に示すように、ステップＳ１０１において、受信装置１０のサーチ部１１は、基地局２０から送信された搬送周波数の中心周波数付近のＳＣＨ信号に基づいて、基地局２０との間で同期を取る。
【００４２】
ステップＳ１０２において、受信装置１０の相関検証部１２は、図６に示すように、同一の周波数で送信された第１ＲＳ（第１パイロットシンボル）「Ｓ１」と第２ＲＳ（第２パイロットシンボル）「Ｓ５」との間の相関値（時間軸上の相関値）を算出する。
【００４３】
例えば、相関検証部１２は、以下の（式３）を用いて、「Ｓ１」と「Ｓ５」との間の相関値を検出する。
【数４】
0005432896.tif 000005
【００４４】
なお、「τ」は、第１ＲＳ「Ｓ１」が送信されたタイミングｔ（Ｓ１）と第２ＲＳ「Ｓ５」が送信されたのタイミングｔ（Ｓ５）との差であり、「ｆＤ」は、受信装置が測定車に配備される場合には、上述の車速パルスから求められるｔ（Ｓ１）とｔ（Ｓ５）との間の最大ドップラー周波数である。
【００４５】
なお、車速パルスを利用しない場合には、測定した遅延プロファイルから、移動速度を推定し「ｆＤ」を算出することができる。移動端末に受信装置が配備される場合には、遅延プロファイルから「ｆＤ」を算出する方法が用いられる。また、「Ｊ（）」は、第１種ベッセル関数である。
【００４６】
ステップＳ１０３において、相関検証部１２は、図７に示すように、「Ｓ１」と「Ｓ５」との間の時間軸上の相関値が、所定閾値を上回っているか否かについて検証する。
【００４７】
ここで、相関検証部１２は、所定エリア（例えば、市街地や郊外地等）における時間軸上の相関値を管理しおり、かかる時間軸上の相関値を参照して、「Ｓ１」と「Ｓ５」との間の時間軸上の相関値が所定閾値を上回っているか否かについて検証してもよい。
【００４８】
かかる時間軸上の相関値が所定閾値を上回っていると検証された場合、ステップＳ１０４において、受信装置１０の測定部１３が、第１ＲＳ「Ｓ１」の受信品質ｒｎ及び第２ＲＳ「Ｓ５」の受信品質ｒｎ＋１を測定し、受信装置１０の平均化処理部１４が、上述の（式１）を用いて、第１ＲＳ「Ｓ１」の受信品質ｒｎ及び第２ＲＳ「Ｓ５」の受信品質ｒｎ＋１に対して平均化処理を行うことによって、下りリンクの無線品質を算出する。
【００４９】
なお、同様に、第１ＲＳ「Ｓ２」と第２ＲＳ「Ｓ６」との間の時間軸上の相関値や、第１ＲＳ「Ｓ３」と第２ＲＳ「Ｓ７」との間の時間軸上の相関値を用いて、下りリンクにおける無線品質を算出することができる。
【００５０】
第３に、図３及び図８を参照して、本発明の第１の実施形態に係る移動通信システムにおいて、第１ＲＳ「Ｐ２」と、その周辺のＲＳとの間の相関値を用いて、下りリンクにおける無線品質を算出する方法について説明する。
【００５１】
図３に示すように、ステップＳ１０１において、受信装置１０のサーチ部１１は、基地局２０から送信された搬送周波数の中心周波数付近のＳＣＨ信号に基づいて、基地局２０との間で同期を取る。
【００５２】
ステップＳ１０２において、受信装置１０の相関検証部１２は、図８に示すように、第１ＲＳと「Ｐ２」と、かかる「Ｐ２」の周りのＲＳである「Ｓ１」、「Ｓ２」、「Ｐ１」、「Ｐ３」、「Ｑ１」及び「Ｑ２」との間の相関値を算出する。
【００５３】
具体的には、第１に、相関検証部１２は、「Ｐ２」と、「Ｓ１」、「Ｓ２」、「Ｐ１」、「Ｐ３」、「Ｑ１」及び「Ｑ２」との間の周波数軸上の相関値Ｘ１〜Ｘ６を算出する。
【００５４】
第２に、相関検証部１２は、「Ｐ２」と、「Ｓ１」、「Ｓ２」、「Ｐ１」、「Ｐ３」、「Ｑ１」及び「Ｑ２」との間の時間軸上の相関値Ｙ１〜Ｙ６を算出する。
【００５５】
第３に、相関検証部１２は、周波数軸上の相関値Ｘ１〜Ｘ６と時間軸上の相関値Ｙ１〜Ｙ６とをそれぞれ乗算した結果を、「Ｐ２」と、「Ｓ１」、「Ｓ２」、「Ｐ１」、「Ｐ３」、「Ｑ１」及び「Ｑ２」との間の相関値Ｚ１〜Ｚ６とする。
【００５６】
ステップＳ１０３において、相関検証部１２は、相関値Ｚ１〜Ｚ６の中から、所定閾値を上回っている最大値を選択する。
【００５７】
選択された相関値Ｚ１〜Ｚ６に応じて、ステップＳ１０４において、受信装置１０の測定部１３が、第１ＲＳ「Ｐ２」の受信品質ｒｎ及び第２ＲＳ「Ｓ１」、「Ｓ２」、「Ｐ１」、「Ｐ３」、「Ｑ１」及び「Ｑ２」の受信品質ｒｎ＋１を測定し、受信装置１０の平均化処理部１４が、上述の（式１）を用いて、第１ＲＳ「Ｐ２」の受信品質ｒｎ及び第２ＲＳ「Ｓ１」、「Ｓ２」、「Ｐ１」、「Ｐ３」、「Ｑ１」及び「Ｑ２」の受信品質ｒｎ＋１に対して平均化処理を行うことによって、下りリンクの無線品質を算出する。
【００５８】
（本発明の第１の実施形態に係る移動通信システムの作用・効果）
本発明の第１の実施形態に係る移動通信システムによれば、周波数軸上の相関値或いは時間軸上の相関値が所定閾値を上回る２つのＲＳ（パイロットシンボル）のみを用いるため、下りリンクにおける無線品質を精度良く算出することができる。
【００５９】
（本発明の第１の実施形態の変形例）
第１の実施形態においては、「ＲＳ」を利用して相関値を算出する方法について記載したが、本変形例では、「ＳＣＨ（同期チャネル）信号」を利用して相関値を算出してもよい。
【００６０】
また、受信装置の相関検証部１２は、（式２）及び（式３）の代わりに、下記の（式４）を利用して、「Ｘ」及び「Ｙ」の相関値ｒを算出してもよい。
【数５】
0005432896.tif 000006
【００６１】
ここで、「Ｘ」及び「Ｙ」は、それぞれ所定数のパイロットシンボルを集めた集合である。具体的には、「Ｘ」及び「Ｙ」は、それぞれ、同一周波数軸上のパイロットシンボルの集合であってもよいし、同一時間軸上のパイロットシンボルの集合であってもよいし、異なる周波数軸上のパイロットシンボルの集合であってもよいし、異なる時間軸上のパイロットシンボルの集合であってもよい。
【００６２】
また、「Ｘ_ａｖｅ」は、「Ｘ」の平均であり、「δｘ」は、「Ｘ」の標準偏差であり、「Ｙ＿ａｖｅ」は、「Ｙ」の平均であり、「δｙ」は、「Ｙ」の標準偏差である。
【００６３】
なお、「Ｘ」及び「Ｙ」は、周波数軸上の相関を有していてもよいし、時間軸上の相関を有していてもよい。
【００６４】
本変形例によれば、受信装置１０は、相関値を算出するためのチャネルの選択及び相関値の算出に用いる式を使い分けてもよい。
【００６５】
図９を参照して、本変形例における受信装置１０の動作について説明する。
【００６６】
ステップＳ２００において、受信装置１０は、相関値を求めるために使用する信号を選択する。
【００６７】
受信装置１０は、相関値を短時間で求める必要がある場合には「ＲＳ」を選択する等の判断基準を用いて、相関値を求めるために使用する信号として「ＲＳ」と「ＳＣＨ」とを使い分けることができる。
【００６８】
受信装置１０は、ステップＳ２０１において、相関値を求めるために使用する信号として「ＲＳ」を選択した場合、ステップＳ２０２において、「（Ａ）周波数軸上の相関」を利用して相関値を算出するべきか、「（Ｂ）時間軸上の相関」を利用して相関値を算出すべきか、「（Ｃ）周波数軸上及び時間軸上の両方の相関」を利用して相関値を算出すべきかについて決定する。
【００６９】
受信装置１０は、「（Ａ）周波数軸上の相関」を利用して相関値を算出するべきであると決定した場合、ステップＳ２０３において、相関値を算出する式を選択する。
【００７０】
ステップＳ２０４又はＳ２０５において、受信装置１０は、ステップＳ２０３において選択された（式２）又は（式４）を用いて相関値を算出する。
【００７１】
ステップＳ３００において、受信装置１０は、算出された相関値の中から、閾値を上回っている２つ以上のＲＳを選択し、それらを利用して電力を計算する。
【００７２】
一方、受信装置１０は、「（Ｂ）時間軸上の相関」を利用して相関値を算出するべきであると決定した場合、ステップＳ２０６において、相関値を算出する式を選択する。
【００７３】
ステップＳ２０７又はＳ２０８において、受信装置１０は、ステップＳ２０６において選択された（式３）又は（式４）を用いて相関値を算出する。
【００７４】
ステップＳ３００において、受信装置１０は、算出された相関値の中から、閾値を上回っている２つ以上のＲＳを選択し、それらを利用して電力を計算する。
【００７５】
また、受信装置１０は、「（Ｃ）周波数軸上及び時間軸上の両方の相関」を利用して相関値を算出するべきであると決定した場合、ステップＳ２０９において、相関値を算出する式を選択する。
【００７６】
ステップＳ２１０又はＳ２１１において、受信装置１０は、ステップＳ２０９において選択された（式２）及び（式３）の組み合わせ又は（式４）を用いて相関値を算出する。
【００７７】
ステップＳ３００において、受信装置１０は、算出された相関値の中から、閾値を上回っている２つ以上のＲＳを選択し、それらを利用して電力を計算する。
【００７８】
受信装置１０は、ステップＳ２２１において、相関値を求めるために使用する信号として「ＳＣＨ信号」を選択した場合、ステップＳ２２２において、「（Ａ）周波数軸上の相関」を利用して相関値を算出するべきか、「（Ｂ）時間軸上の相関」を利用して相関値を算出すべきか、「（Ｃ）周波数軸上及び時間軸上の両方の相関」を利用して相関値を算出すべきかについて決定する。
【００７９】
受信装置１０は、「（Ａ）周波数軸上の相関」を利用して相関値を算出するべきであると決定した場合、ステップＳ２２３において、相関値を算出する式を選択する。
【００８０】
ステップＳ２２４又はＳ２２５において、受信装置１０は、ステップＳ２２３において選択された（式２）又は（式４）を用いて相関値を算出する。
【００８１】
ステップＳ３００において、受信装置１０は、算出された相関値の中から、閾値を上回っている２つ以上のＳＣＨ信号（シンボル）を選択し、それらを利用して電力を計算する。
【００８２】
一方、受信装置１０は、「（Ｂ）時間軸上の相関」を利用して相関値を算出するべきであると決定した場合、ステップＳ２２６において、相関値を算出する式を選択する。
【００８３】
ステップＳ２２７又はＳ２２８において、受信装置１０は、ステップＳ２２６において選択された（式３）又は（式４）を用いて相関値を算出する。
【００８４】
ステップＳ３００において、受信装置１０は、算出された相関値の中から、閾値を上回っている２つ以上のＳＣＨ信号（シンボル）を選択し、それらを利用して電力を計算する。
【００８５】
また、受信装置１０は、「（Ｃ）周波数軸上及び時間軸上の両方の相関」を利用して相関値を算出するべきであると決定した場合、ステップＳ２２９において、相関値を算出する式を選択する。
【００８６】
ステップＳ２３０又はＳ２３１において、受信装置１０は、ステップＳ２２９において選択された（式２）及び（式３）の組み合わせ又は（式４）を用いて相関値を算出する。
【００８７】
ステップＳ３００において、受信装置１０は、算出された相関値の中から、閾値を上回っている２つ以上のＳＣＨ信号（シンボル）を選択し、それらを利用して電力を計算する。
【００８８】
なお、上述の受信装置１０や基地局２０の動作は、ハードウェアによって実施されてもよいし、プロセッサによって実行されるソフトウェアモジュールによって実施されてもよいし、両者の組み合わせによって実施されてもよい。
【００８９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、受信装置１０や基地局２０内に設けられていてもよい。また、かかる記憶媒体及びプロセッサは、ディスクリートコンポーネントとして受信装置１０や基地局２０内に設けられていてもよい。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005432896.tif 000011
【図２】
0005432896.tif 000012
【図３】
0005432896.tif 000013
【図４】
0005432896.tif 000014
【図５】
0005432896.tif 000015
【図６】
0005432896.tif 000016
【図７】
0005432896.tif 000017
【図８】
0005432896.tif 000018
【図９】
0005432896.tif 000019
【図１０】
0005432896.tif 000020
【図１１】
0005432896.tif 000021